(57)【要約】【課題】  パイプハウスに補強アーチを設置する場合、下部取付けをより簡単な構造で強力に固定でき、且つ調整用にスライドできるようにし、下部取付けにおいては母屋直管との間隔をより多く調整できるようにする。【解決手段】  本考案は下部取付金具１０を一枚の平板を折り曲げだけで構成し、補強アーチ６の下部取付を変形部８と下部平面部９の外側面が一体平面になるように潰す事とし、上部取付けにおいては補強アーチを丸パイプとし、円筒状の保持部１・回転止め用押しボルト２・支持腕３で回転できるようにし、直管保持金具４と支持ボルト５で連結して固定する事で、母屋直管７との間隔をより大きく調整して固定できるようになった。【選択図】  図１
0003127105.tif 000002
【実用新案登録請求の範囲】
【請求項１】
パイプハウス補強アーチの支持具において、円筒状の保持部１の任意位置に回転止め用押しボルト２を設け、その円周上のほぼ近い位置に保持部１より離れたほうの先端に支点ボルト５の通る穴を開けた。
支持腕３の平面部が保持部１の円周線上になる様に取り付け、次に保持部１の円筒線と直角に交わる母屋直管７に円筒部と平板部を構成する直管保持金具４を支点ボルト５で連結し、保持部１を回転できるようにして、補強アーチ６と母屋直管７との間隔を調整出来るようにした保持金具。
【請求項２】
補強アーチ６の下部先端の円形を補強アーチ６のアーチ面に直角に添う角度で潰し、補強アーチ６の円形部より下部平面部９への変形部８のアーチ形状側面が下部平面部９の側面と一体平面になるように潰した補強アーチ６。
【請求項３】
下部取付金具１０は、桁材であるＣ型アーチ受材１６に取り付けるＣ鋼取付部１１、着座位置調整部１２及び、補強アーチ取付部１３からなる。
一枚の平板を、Ｃ鋼取付部１１と着座位置調整部１２間は直角に、着座位置１２と補強アーチ取付部１３間は、補強アーチ下部の変形部８と下部平面部９に添う角度に曲げて構成された下部取付金具１０。
【請求項４】
下部取付金具１０の補強アーチ取付部１３の平面と、補強アーチ６の変形部８及び下部平面部９の側面が、取付長穴１４と締め付ボルト１７で組み合わされ、取付長穴１４方向にスライドできる構造。
【考案の詳細な説明】
【技術分野】
【０００１】
本考案は、既存のパイプハウスの屋根部を、補強材を用いて補強する取付金具に関するものである。
【背景技術】
【０００２】
既存のパイプハウスの屋根部の断面は図6の様になっている。この屋根を補強する場合
図7のように屋根アーチの下に補強アーチを平行になるようにバンドを使いながら取付けるが、実際は屋根アーチの形状が非常に様々で、そのアーチを各物件ごとに測定をし、その測定値に合わせて補強アーチを製造しようとしたが、接合部を図8の様にしボルト穴を長穴にした程度では、あまりにも各物件の違いが大きすぎてなかなか合わず、多くの製造コストがかかってしまい、又取付け作業も簡単とは言えなかった。次に図9の補強アーチの構造となり、図１０、又図１１に示す構造となったが、まだ母屋直管との間隔調整量が少ない為、各物件ごとに測定をし、補強アーチの曲げを調整して製造する為製造コストが多くかかっていた。又、図１０も複雑な構造である為コストが多くかかっていた。
【考案の開示】
【考案が解決しようとする課題】
【０００３】
補強アーチを製造する場合、既存の屋根アーチが各々の物件で違っていて、各物件ごとに測定し補強アーチの曲げを調整して製造する為製造コストが多くかかってしまうことが問題点である。
【課題を解決するための手段】
【０００４】
既存のパイプハウスの屋根アーチとの間隔が様々に変化することに対しては、補強アーチを丸パイプにすると共に支持金具の保持部1を円筒状とし、そのほぼ中間部分の円周上に回転止め用押しボルト2と、ほぼ同一円周上に先端に支点用ボルト穴のある支持腕3を設け、次に補強アーチと直角に交わる母屋直管に対して直管保持金具4を取付け、直管保持金具4の先にある支点用ボルト穴と支持腕3の先の支点用ボルト穴を支点用ボルト5で連結させる構造の支持金具であるが保持部1は丸パイプである補強アーチ6に対して回転させると支持腕3の先端の支点位置は大きく変化させることが出来る為、母屋直管7と補強アーチ6との間隔が大きく変化しても、保持部1を回転させて母屋直管7を支えることが出来るようになった。
【０００５】
支持腕3は先端が平板状で、支点用ボルト5で直管保持金具4と連結して締め付け固定できれば、支持腕3の元部はパイプでもアングルでも帯状平板でも良い。
【考案の効果】
【０００６】
保持部1を回転させると支持腕3の先端を大きく動かせられ、母屋直管7と補強アーチ６の間隔が大きく変化しても母屋直管を支えることが出来るようになった。
【０００７】
変形部８と下部平面の外側面が一体平面になるように潰すと、変形部8の外側への出っ張りが無くなるので補強アーチ取付部１３を大きく移動が可能になり、既存のパイプハウスに対して補強アーチを合わせやすくなった。
【０００８】
補強アーチ取付部１３と補強アーチ下部平面９との接合が平面どうしになり、締付けボルト１７でより強力に締付け可能となった。
【０００９】
図１０に示す従来の下部取付金具は、部品3点を溶接にて一体に作成した物である。本考案の下部取付金具１０は１品で、しかも溶接作業も無い為、製造工程が大幅に削減された。
【００１０】
下部取付金具と補強アーチの接合に、補強アーチの下部・先端を下部平面部９と変形部８のアーチ形状に対する外側面が一体平面になるよう潰した。
【００１１】
下部取付金具の構造を簡易な構造とする為にＣ鋼取付部１１と着座位置調整部１２と補強アーチ取付部１３の構成要素からなる下部取付金具１０を、１枚の平板を所定の要素と満たすよう図４の様に折り曲げるだけで可能とした。
【考案を実施するための最良の形態】
【００１２】
図１〜図５において、パイプハウス桁材１６に対して下部取付金具１０を裏押え平板
１５と共に取付け、補強アーチ６に保持部１を必要数差し込んでおき、左右の補強アーチ６を上部ジョイント１８に組み合わせた上で持ち上げ、補強アーチの下部平面部９と補強アーチ取付部１３を接合させて、締付けボルト１７と補強アーチ取付部１３の長穴部１４を利用して、全体の間隔を調整しながら締付けボルト１７を締付ける。次に、図２に示す様に各母屋直管７に直管保持金具４を取付け、母屋直管７と補強アーチ６との間隔を、支持腕３を回転させて調整し、支点ボルト５にて接合させた後、回転止め用押しボルト２を締付けることによって接合が完了する。
【実施例】
【００１３】
以下、添付図面に従って実施例を説明する。
【００１４】
図1は補強アーチ全体を組み上げた状態を示し、パイプハウス桁材１６に下部取付金具１０を取付け、補強アーチ６の下部平面部９を取付け、補強アーチ６の上部は図２に示す保持部１・回転止め押しボルト２・支持腕３・直管保持金具４・支点用ボルト５から成る補強アーチ支持具にて母屋直管７との間隔を調整して固定する。
【図面の簡単な説明】
【００１５】
【図１】パイプハウスに本考案の補強アーチを取付けてなる組立て断面図
【図２】母屋直管と補強アーチの支持具の接合状態を示す斜視図
【図３】補強アーチ下、先端部の要斜視図
【図４】下取付金具を装着してなる要斜視図
【図５】下取付金具に補強アーチを装着してなる要斜視図
【図６】補強アーチ装着前のパイプハウスの屋根部断面図
【図７】第一期の従来の補強アーチ装着屋根部断面図
【図８】第一期補強アーチ接合部の要斜視図
【図９】第二期の従来の補強アーチ装着屋根部断面図
【図１０】第二期、補強アーチ下部取付の接合状態を示す要斜視図
【図１１】第二期補強アーチと母屋直管との接合状態を示す要斜視図
【符号の説明】
【００１６】
１    保持部
２    回転止め用押しボルト
３    支持腕
４    直管保持金具
５    支点用ボルト
６    補強アーチ
７    母屋直管
８    変形部
９    下部平面部
１０  下部取付金具
１１  Ｃ鋼取付部
１２  着座位置調整部
１３  補強アーチ取付部
１４  長穴部
１５  裏押え平板
１６  パイプパウス桁材
１７  締付けボルト
１８  上部ジョイント
１９  従来の補強取付部
２０  従来のC鋼取付部
２１  従来の保持部
【図１】
0003127105.tif 000003
【図２】
0003127105.tif 000004
【図３】
0003127105.tif 000005
【図４】
0003127105.tif 000006
【図５】
0003127105.tif 000007
【図６】
0003127105.tif 000008
【図７】
0003127105.tif 000009
【図８】
0003127105.tif 000010
【図９】
0003127105.tif 000011
【図１０】
0003127105.tif 000012
【図１１】
0003127105.tif 000013
【手続補正書】
【提出日】平成18年9月19日(2006.9.19)
【手続補正１】
【補正対象書類名】実用新案登録請求の範囲
【補正対象項目名】全文
【補正方法】変更
【補正の内容】
【実用新案登録請求の範囲】
【請求項１】
パイプハウス補強アーチの支持具において屋根アーチの下に、円形パイプ状の補強アーチ６の中間に円筒状の保持部１と支持腕３と直管保持具金具４からなる保持金具を取り付け、屋根アーチと連結し二重構造にする事を特徴とするパイプハウス補強アーチの取付金具。
【請求項２】
補強アーチの支持金具において、円筒状の保持部１の任意位置に回転止め用押しボルト２を設け、その円周上のほぼ近い位置に保持部１より離れたほうの先端に支点用ボルト５の通る穴を開けた支持腕３の平面部が保持部１の円周線上になる様に取り付け、次に保持部１の円筒線と直角に交わる母屋直管７に円筒部と平板部を構成する直管保持金具４を支点用ボルト５で連結し、保持部１を回転できるようにして、補強アーチ６と母屋直管７との間隔を調整出来るようにした請求項１記載のパイプハウス補強アーチの取付金具。
【請求項３】
補強アーチ６の下部先端の円形を補強アーチ６のアーチ面に直角に添う角度で潰し、補強アーチ６の円形部より下部平面部９への変形部８のアーチ形状側面が下部平面部９の側面と一体平面になるように潰した円形のパイプ状の補強アーチ6を有する請求項１又は請求項２記載のパイプハウス補強アーチの取付金具。
【請求項４】
補強アーチの下部取付金具１０は、パイプハウス桁材１６に取り付けるＣ鋼取付部１１、着座位置調整部１２及び、補強アーチ取付部１３からなる一枚の平板を、Ｃ鋼取付部１１と着座位置調整部１２間は直角に、着座位置調整部１２と補強アーチ取付部１３は、補強アーチ下部の変形部８と下部平面部９に添う角度に曲げて構成された下部取付金具１０を有する請求項１、２又は請求項３記載のパイプハウス補強アーチの取付金具。
【手続補正３】
【補正対象書類名】図面
【補正対象項目名】図２
【補正方法】変更
【補正の内容】
【図２】
0003127105.tif 000014